(57)【要約】【課題】  部品数を多くして重量やコストを高くすることなく、大きく引き出した場合における扉および容器の左右への振れを抑制するとともに、閉扉時についても左右に振れることなく安定した摺動動作をおこなうことで、品位の高い扉の引き出し動作が得られる冷蔵庫を提供する。【解決手段】  貯蔵室10の前面開口部を開閉自在に閉塞する引き出し式の扉11と、この扉の内面に固定され開扉にともなって引き出される容器を保持する左右一対の支持枠12と、この支持枠を摺動自在に支持する貯蔵室両側に配置したレール16と、前記レールの各々の前端に前後方向に回動可能に設けた係止部20を連結片21で連結形成したストッパ部材19とからなり、前記容器の引き出しにより前記支持枠の後端13が前記ストッパ部材の係止部に当接した際には、係止部を回動させるとともに支持枠の後端を係止することで容器の前方移動を停止するようにしたことを特徴とする。【選択図】  図５
2006313039.tif 000002
【特許請求の範囲】
【請求項１】
貯蔵室の前面開口部を開閉自在に閉塞する引き出し式の扉と、この扉の内面に固定され開扉にともなって引き出される容器を保持する左右一対の支持枠と、この支持枠を摺動自在に支持する貯蔵室両側に配置したレールと、前記レールの各々の前端に前後方向に回動可能に設けた係止部を連結片で連結形成したストッパ部材とからなり、前記容器の引き出しにより前記支持枠の後端が前記ストッパ部材の係止部に当接した際には、係止部を回動させるとともに支持枠の後端を係止することで容器の前方移動を停止するようにしたことを特徴とする冷蔵庫。
【請求項２】
ストッパ部材の係止部を前壁と支持枠の後端を受け入れる底壁とからなるＬ字状に形成するとともに前壁の下方を本体側に軸支して回動自在にしたことを特徴とする請求項１記載の冷蔵庫。
【請求項３】
ストッパ部材の係止部は、レール外面より室内側に突出させないようにしたことを特徴とする請求項２記載の冷蔵庫。
【請求項４】
ストッパ部材は、容器の引き出し時に支持枠の後端が当接するなどの外力によって係止部が回動しても、該外力が除去された場合は自重により回動して通常位置に戻るようにしたことを特徴とする請求項１記載の冷蔵庫。
【請求項５】
ストッパ部材の係止部近傍を支点として係止部から連結片を下方に垂下し、さらに容器の底面下の幅方向に延出し、対向する係止部の他側と連結して一体化したことを特徴とする請求項４記載の冷蔵庫。
【発明の詳細な説明】
【技術分野】
【０００１】
本発明は引出しの扉によって収納容器を出し入れする冷蔵庫に係り、特に引き出し時における扉および容器の左右への振れを抑制したものに関する。
【背景技術】
【０００２】
近年、冷蔵庫は生活の多様化とともに収納量の大形化傾向にあり、その形態としては、上部に最も貯蔵物収納容積の大きい冷蔵室を設置し、その下部に野菜室、さらにその下部に収納容積の比較的小さい製氷室や温度切替室を幅方向の左右に区分して設け、最下部に冷凍室を設置するタイプが多くなっている。
【０００３】
前記冷蔵室は、その前面開口部近傍に一側を枢支した扉、あるいは観音開き式の扉により、前記開口を回動方式で閉塞しており、野菜室や冷凍室、および製氷室や温度切替室は、収納物の出し入れ操作の利便性から扉の貯蔵室側に容器を取り付け、前後に引き出し式とするものが多い。
【０００４】
従来、冷蔵庫における引き出し式の扉容器構造においては、引き出し扉の横断面図である図９に示すように、周縁に設けたガスケットにより貯蔵室本体側の受け面との間隙をシールした引き出し扉（51）の内面側に貯蔵室内側へ延びて図示しない容器を保持する左右一対の支持枠（52）を固定し、この支持枠（52）を滑車（53）（57）を介して貯蔵室両側に設けたレール（56）に沿って摺動自在に配置することで扉（51）の開閉に連動して引き出し自在としている。
【０００５】
そして、開扉時において引き出された支持枠（52）は、貯蔵室の開口部近傍に設けた滑車（57）で支持枠（52）の下面を受け、支持枠の後端に取り付けた滑車（53）をレール（56）で支える前後２点の支持によって引き出し状態を保持している（例えば、特許文献１参照）。
【特許文献１】特開平８−２９６９５７号公報
【発明の開示】
【発明が解決しようとする課題】
【０００６】
しかしながら、引き出した状態の扉（51）および容器は、容器の引き出し量をできるだけ大きくしたいニーズから、前述のごとく、容器の後端における支点間の短い２点で支持されているのみである支持構成と、引き出しのための関連部品の係合や組立構成から生じる幅方向の隙間の存在によって、支持枠（52）を引き出した状態で扉（51）を矢印のように左右に振ると大きな振れとなる問題があり、また、閉扉時に押し込む方向がずれるとバランスをくずして摺動方向が定まらず、扉および容器が左右に振れながら閉まっていくと言う不具合があった。
【０００７】
本発明はこの点に着目してなされたもので、支持構造を堅牢にするため部品数を多くして重量やコストを高くすることなく、大きく引き出した場合における扉および容器の左右への振れを抑制するとともに、閉扉時についても左右に振れることなく安定した摺動動作をおこなうことで、品位の高い扉の引き出し動作が得られる冷蔵庫を提供することを目的とする。
【課題を解決するための手段】
【０００８】
本発明の冷蔵庫は、貯蔵室の前面開口部を開閉自在に閉塞する引き出し式の扉と、この扉の内面に固定され開扉にともなって引き出される容器を保持する左右一対の支持枠と、この支持枠を摺動自在に支持する貯蔵室両側に配置したレールと、前記レールの各々の前端に前後方向に回動可能に設けた係止部を連結片で連結形成したストッパ部材とからなり、前記容器の引き出しにより前記支持枠の後端が前記ストッパ部材の係止部に当接した際には、係止部を回動させるとともに支持枠の後端を係止することで容器の前方移動を停止するようにしたことを特徴とするものである。
【発明の効果】
【０００９】
本発明によれば、貯蔵食品の収納や取り出しのために扉を最大まで引き出した状態においても、扉および容器を安定させて左右に大きく振れるようなことがなく、また、閉扉の際にも左右に振れることなく滑らかに押し込むことができる品位の高い引き出し扉構成を得ることができる。
【発明を実施するための最良の形態】
【００１０】
以下、図面に基づき本発明の一実施形態について説明する。図１は扉の開放状態を二点鎖線で示した冷蔵庫（１）の縦断面図であり、外箱（２）の内側に断熱材（３）を介して設けた内箱により貯蔵空間を形成し、断熱仕切壁（４）（５）により複数の貯蔵室に区分している。（６）は本体の上部に配置した冷蔵室であり、前面開口部の両側に設けたヒンジにより観音開き式の冷蔵室扉（７）を回動自在に枢支し、開口部を閉塞している。
【００１１】
冷蔵室（６）の下部には、仕切板を介して野菜などを収納する野菜室（８）を配設しており、野菜室（８）の下方には、断熱仕切壁（４）を介して比較的小容積の温度切替室（９）および図示しない製氷室を左右に区分して併置し、最下部には冷凍食品を収納する冷凍室（10）を配置している。
【００１２】
上記冷蔵室（６）以外のこれら貯蔵室は、冷蔵室に比べ収納容積が小さいこと、およびその設置高さ位置による使い勝手面から、図１に二点鎖線で示すように、引き出し扉方式としている。
【００１３】
以下、その構成を冷凍室（10）を例として説明する。扉（11）の引き出し状態を概略側面図である図２に示すように、冷凍室の前面開口を閉塞する扉（11）の室内側には後端に滑車Ａ（13）を取着した支持枠（12）を設け、この支持枠（12）に保持した容器（15）を冷凍室側壁に配置したレール（16）によって前後摺動可能な引出し方式としている。
【００１４】
容器（15）の後部には、低温冷気を生成し、冷凍室ほか貯蔵室に供給する冷却器（14）やファンを配置しており、冷凍室（10）の前面開口部に配置した冷凍室扉（11）の内面側周縁部には、軟質合成樹脂で形成されたガスケットを挿着し、閉扉の際には冷凍室（10）内を密閉するように構成している。
【００１５】
容器（15）の支持部を示す正面からの断面図である図３、および要部の斜視図である図４に示すように、前記レール（16）は合成樹脂を射出成形したものであって断面ほぼコ字状をなし、冷凍室（10）内上部の左右側壁（10ａ）に前後に亙って設置されており、扉（11）の内面に固着され室内側に延出する左右一対の支持枠（12）は、下部Ｌ字状部（12ａ）を前記レール（16）の前方下部に設けた滑車Ｂ（17）で受けるようにし、支持枠（12）の後部外側に取り付けた滑車Ａ（13）をレール（16）内に摺動させることで、支持枠上端に鍔部（15ａ）を係止して保持した容器（15）を開扉動作とともに室外に引き出し、上面開口から食品を容器内に収納し、また取り出すものである。
【００１６】
しかして、前記左右のレール（16）（16′）の前端には、垂直に立ち上がる前壁（20ａ）と後方にほぼ水平に延びて前記レール（16）の前端に設けた段部（16ａ）に係合して同一面を形成する底壁（20ｂ）とで断面Ｌ字状をなし、前記前壁（20ａ）の下方に設けた支軸（20ｃ）を中心として前後方向に回動可能に設けた係止部（20）と、この係止部（20）から連結片（21）を下方に垂下し、さらに容器（15）の底面下を幅方向に延出して、対向する他側の係止部（20′）から延出して連結させた連結片（21′）とを一体化してなるストッパ（19）を設けている。
【００１７】
これに対して、前記レール（16）の前端部の下方は後方への傾斜面（16ｂ）を設けており、この傾斜面（16ａ）を、図５に示す前記ストッパ（19）の係止部（20）の下方に延出する連結片（21）の回動時における係合面として回動を停止させるようにしている。また、前記ストッパ（19）は合成樹脂材により左右の係止部（20）（20′）および連結片（21）を一体に射出成形されており、冷凍室（10）内の前部開口幅に沿った幅寸法にして前記支軸（20ｃ）を図４の矢印のように本体内壁に嵌入することで、これを支点にして回動可能に取り付けられている。
【００１８】
次に前記ストッパ（19）の開扉の際の動作について説明する。冷凍室扉（11）の開扉時に容器（15）を引き出した場合には、容器（15）を支持している支持枠（12）が滑車Ｂ（17）に支持されるとともにレール（16）内を転動する滑車Ａ（13）によって前方に摺動し、支持枠後部の滑車Ａ（13）が前記ストッパ（19）の係止部（20）に当接した位置を最大引き出し点として、支持枠（12）の底部を滑車Ｂ（17）に、滑車Ａ（13）をレール（16）の上面に当接させた前後２点の支持で扉（11）および容器（15）を引き出し状態に保持する。
【００１９】
この時点で、前記支持枠（12）後端の滑車Ａ（13）はレール（16）の前端からストッパ（19）の係止部（20）に移動しており、レール（16）と同一面とした係止部（20）の底壁（20ｂ）は滑車Ａ（13）を受け入れる。そして、進入した滑車Ａ（13）を係止部（20）の前壁（20ａ）に当接させることでこれを係止し、支持枠（12）の前方移動を阻止して停止させるように作用するとともに、前記支軸（20ｃ）を中心にして係止部（20）を前記連結片（21）がレール（16）下面の傾斜面（16ｂ）に当接するまで回動させ、室内両側における滑車Ａ（13）（13′）を前壁（20ａ）と底壁（20ｂ）で形成されるＶ字状溝内に安定して保持するものである。
【００２０】
係止部（20）の前方への回動にともない、ストッパ（19）の下方に延出している連結片（21）は、係止部（20）とは逆に支軸（20ｃ）を中心にして、矢印のごとく後方に回動し、引き出された扉（11）や容器（15）の重量により後方への傾斜したままの状態を保持するものであり、前壁（20ａ）と底壁（20ｂ）とからなるＶ字状溝内に保持された滑車Ａ（13）は、底壁（20ｂ）が遮蔽物となって後方への移動を阻止される。
【００２１】
なお、ストッパ（19）は、前記滑車Ａ（13）などの外力が除去された場合は自重により回動して通常位置に戻るようにしており、また、ストッパ（19）の係止部（20）および連結片（21）の下方への垂下部は、容器（15）の前後移動の際の障害にならないように前記レール（16）の外面より室内側に突出させないようにしている。
【００２２】
引き出し状態においては、支持枠（12）の滑車Ａ（13）が、レール（16）前端下面の傾斜面（16ｂ）への当接で回動状態を阻止されている係止部（20）の前壁（20ａ）と底壁（20ｂ）で形成されたＶ字状溝内に前後移動できない状態で保持されており、しかも係止部（20）は、冷凍室（10）の両側における前端面から平行な位置に設けられ、連結片（21）で一体に形成されていることから、支持機構部分に幅方向の隙間が存在しても両側の滑車Ａ（13）が片側だけ移動するようなことがなく、扉（11）および容器（15）は、安定して保持されている。
【００２３】
したがって、扉（11）を持って左右に振った場合においても両側における支持枠（12）後端の支持部分の移動が抑えられているので、扉部分で大きく振れることを防止することができるものである。
【００２４】
また、閉扉時においては、扉（11）を持って容器（15）を押し込むことで、前記支持枠（12）後端の滑車Ａ（13）が前記ストッパ（19）の係止部（20）の傾斜状態に立ち上がっている底壁（20ｂ）を後方に押し倒し、段部（16ａ）を介してレール（16）上に移動してそのまま後方に摺動することで閉扉することができる。
【００２５】
このとき、ストッパ（19）の係止部の底壁（20ｂ）は、閉扉のために滑車Ａ（13）で押圧されるとともに、連結片（21）の重力により自重によって後方に倒れ水平状態になろうとするが、前述のとおり、係止部（20）は左右一体であり、後方へ倒れるタイミングは同時であることから、滑車Ａ（13）の回転開始も左右同時となる。そのため、閉扉時には左右の滑車Ａ（13）（13′）が同時に回動を開始することで支持枠（19）が左右にふらつくことなくスムーズに奥側へ移動させることができる。
【００２６】
次に、本発明を前記温度切替室（９）のような比較的収納容量の小さい貯蔵室の扉構成に適用した実施例について説明する。
【００２７】
図６は温度切替室（９）の左下方の要部を示す正面図、図７はその内側からの側面図であり、前記実施例と同様、温度切替室（９）の前面開口を閉塞する扉（23）の室内側には後端に滑車Ｃ（33）を取着した支持枠（32）を設け、この支持枠（32）上に保持した容器（35）を室側壁に配置したレール（36）によって前後摺動可能な引出し方式としている。
【００２８】
前記レール（36）は室内壁にほぼコ字状に凹陥しており、温度切替室（９）内の底部近傍の左右側壁に前後に亙って設置されており、扉（23）の内面に固着した左右一対の支持枠（32）は、容器（35）を受ける水平部（32ａ）を室内前方の左右底面より突出させた滑車Ｄ（37）で受けるようにし、支持枠（32）の後部外側に取り付けた滑車Ｃ（33）をレール（36）内に摺動させることで、容器（35）を開扉動作とともに室外に引き出し、上面開口から食品を容器内に収納し、また取り出すものである。
【００２９】
図６の側面図である図７に示すように、前記左右のレール（36）（36′）の前端には、垂直に立ち上がる前壁（40ａ）と後方にほぼ水平に延びて前記レール（36）の前端に設けた段部（36ａ）に係合して同一面を形成する底壁（40ｂ）とで断面Ｌ字状をなし、前記前壁（40ａ）の下方に設けた支軸（40ｃ）を中心として前後方向に回動可能に設けた係止部（40）と、この係止部（40）からわずかに下方に垂下しさらに容器（35）の底面下を幅方向に延出して、対向する他側の係止部（40′）から延出して連結させた連結片（41）とを一体化してなるストッパ（39）を形成している。
【００３０】
レール（36）の前記段部（36ａ）の前端部には前部上方への傾斜面（36ｂ）を設けており、この傾斜面（36ｂ）を前記ストッパ（39）の係止部（40）の回動時における係合面として回動を停止させるようにしている。また、前記ストッパ（39）は温度切替室（９）の開口前部の幅に沿った幅寸法にして前記支軸（40ｃ）を本体内壁に嵌入することで回動可能に取り付けられている。
【００３１】
前記ストッパ（39）の動作は前記実施例と基本的に同じであり、開扉時に容器（35）を引き出した場合には、容器（35）を支持している支持枠（32）が滑車Ｄ（37）とレール（36）内を転動する滑車Ｃ（33）によって前方に摺動し、支持枠後部の滑車Ｃ（33）が前記ストッパ（39）の係止部（40）に当接した位置を最大引き出し点として、支持枠（32）の底部を滑車Ｄ（37）に、滑車Ｃ（33）をレール（36）の上面に当接させた前後２点の支持で扉（23）および容器（35）を引き出し状態に保持する。
【００３２】
そして、係止部（40）に進入した滑車Ｃ（33）が前壁（40ａ）に当接することで支持枠（32）を停止させるとともに、図８に示すごとく、前記支軸（40ｃ）を中心にして係止部（40）を前方に回動して前壁（40ａ）をレール（36）前端の傾斜面（36ｂ）に当接させることで、滑車Ｃ（33）を前壁（40ａ）と底壁（40ｂ）で形成される左右両側のＶ字状溝内に安定して保持するものである。
【００３３】
係止部（40）の前方への回動にともない、ストッパ（39）の下方に延出している連結片（41）も、係止部（40）とは逆の後方に回動するが、前記実施例と比較して連結片（41）の下方への延出距離は短いため、容器（35）と室底面との間隙内において連結片（41）の回転半径がスペース上の支障となることはなく、前壁（40ａ）と底壁（40ｂ）とからなるＶ字状溝内に保持された滑車Ｃ（33）は、前後方向への移動が阻止される。
【００３４】
なお、前記実施例と同様にストッパ（39）は、外力が除去された場合は自重により回動して通常位置に戻るようにしており、また、ストッパ（39）の係止部（40）および連結片（41）は、支持枠（32）の前後移動の際の障害にならないように前記レール（36）の外面より室内側に突出させないようにしている。
【００３５】
引き出し状態においては、支持枠（32）の滑車Ｃ（33）が係止部（40）の前壁（40ａ）と底壁（40ｂ）で形成されたＶ字状溝内に前後移動できない状態で保持されており、両側の係止部（40）（40′）は、温度切替室（９）の前端面から等しい位置に設置され、連結片（41）とともに一体に形成されていることから、両側の滑車Ｃ（33）（33′）が片側だけ移動するようなことはなく、扉（23）を左右に振っても滑車Ｃ（33）（33′）の移動が抑えられているので、扉部分で大きく振れることを防止できる。
【００３６】
また、閉扉時においては、扉（23）を押し込むことで、前記滑車Ｃ（33）が前記係止部（40）の底壁（40ｂ）を後方に押し倒してレール（36）上を摺動するが、前記同様、滑車Ｃ（33）の回転開始は左右同時となるため、閉扉時には左右の滑車Ｃ（33）（33′）が同時に回動を開始することで左右にふらつくことがなく、スムーズに奥側へ移動させることができるものである。
【００３７】
本発明は以上のように構成されており、レール（16）（36）の前方に設けたストッパ（19）（39）を左右連結して一体とし、扉の引き出し時には、係止部（20）（40）にレールの後端を保持するようにして移動を阻止したものであり、引き出し状態における扉の左右の振れを抑制し、引き出し構成としての品位を向上させたものであるが、前記実施例に限られるものではなく、要旨を逸脱しない範囲での変更が可能である。例えば、係止部に保持されるレールの後端部材は滑車Ａ（13）やＣ（33）でなくとも、レール内を摺動する摩擦抵抗の少ないものであればよい。
【００３８】
また、ストッパの係止部（20）（40）を回動させるのは、回転軸（20ｃ）（40ｃ）でなくともレール面に凹凸係合して係止部を回動または保持するような構成であればよい。なお、上記各実施例では、冷蔵庫の冷凍室や温度切替室における引き出し扉式の容器の例で説明したが、これに限らず、野菜室や製氷室における貯氷箱など、他の貯蔵室の引出し式扉容器構成としても採用することができるのはいうまでもない。
【産業上の利用可能性】
【００３９】
本発明は、引き出し式の扉および収納容器を備えた冷蔵庫に利用することができる。
【図面の簡単な説明】
【００４０】
【図１】本発明の一実施形態を示す冷蔵庫の縦断面図である。
【図２】図１における冷凍室部の概略縦断面図である。
【図３】図２の容器支持部分の正面からみた概略断面図である。
【図４】図３の室内側からの斜視図である。
【図５】図４のストッパ機構の動きを示す拡大側面図である。
【図６】本発明の他の実施例を示す温度切替室要部の概略正面図である。
【図７】図６の側面図である。
【図８】図７の容器を引き出した状態を示す側面図である。
【図９】従来の状態を示す冷蔵庫貯蔵室の横断面図である。
【符号の説明】
【００４１】
１  冷蔵庫本体            ６  冷蔵室                ８  野菜室
９  温度切替室            10  冷凍室                11  冷凍室扉
12、32  支持枠            12ａ  Ｌ字状部            13  滑車Ａ
15、35  容器              15ａ  鍔部                16、36  レール
16ａ、36ａ  段部          16ｂ、36ｂ  傾斜部        17  滑車Ｂ
19、39  ストッパ          20、40  係止部            20ａ、40ａ  前壁
20ｂ、40ｂ  底壁          20ｃ、40ｃ  支軸          21、41  連結片
23  温度切替室扉          32ａ  水平部              33  滑車Ｃ
37  滑車Ｄ  
【図１】
2006313039.tif 000003
【図２】
2006313039.tif 000004
【図３】
2006313039.tif 000005
【図４】
2006313039.tif 000006
【図５】
2006313039.tif 000007
【図６】
2006313039.tif 000008
【図７】
2006313039.tif 000009
【図８】
2006313039.tif 000010
【図９】
2006313039.tif 000011